(57)【要約】【課題】  ファクシミリ装置において、複数ページの送信を行なう場合でも通信の早い段階で文書全体（全ページ）の内容がわかるような送信方法を提案する。【解決手段】  ＪＰＥＧ２０００などの階層的符号化方式を採用することにより、１ページの符号データを内容が判別可能な程度の情報量を持つ第一符号データ部とそれに付加することで更に精細な画像を再現できる第二符号データ部に分割し、複数ページの画像データを送信する場合においても、まず全てのページの第一符号データ部を送信した後で、全ページの第二符号データ部を送信する。【選択図】  図１
2005210253.tif 000002
【特許請求の範囲】
【請求項１】
画像データを離散ウェーブレット変換を施す離散ウェーブレット変換手段と、前記離散ウェーブレット変換手段によって生成されたサブバンドの係数をビットプレーンを単位に符号化する係数符号化手段と、各サブバンドの符号化データを順に配列して符号化データを生成する符号化データ生成手段を有し、生成された符号化データを、電話回線を通じて送信するファクシミリ装置において、
複数ページの画像データを送信する際に、低周波成分のサブバンドデータを全ページ分送信し、その後高周波成分のサブバンドデータを全ページ分送信することを特徴とするファクシミリ装置。
【請求項２】
画像データを離散ウェーブレット変換を施す離散ウェーブレット変換手段と、前記離散ウェーブレット変換手段によって生成されたサブバンドの係数をビットプレーンを単位に符号化する係数符号化手段と、符号化データを上位ビットプレーンから順に配列して符号化データを生成する符号化データ生成手段を有し、生成された符号化データを、電話回線を通じて送信するファクシミリ装置において、
複数ページの画像データを送信する際に、上位ビットプレーンの符号データを全ページ分送信し、その後、低位ビットプレーンのデータを全ページ分送信することを特徴とするファクシミリ装置。
【請求項３】
カラー画像データの各画素を構成する色空間を輝度成分と色差成分に分解し、各成分のそれぞれに離散ウェーブレット変換を施す離散ウェーブレット変換手段と、前記離散ウェーブレット変換手段によって生成されたサブバンドの係数をビットプレーンを単位に符号化する係数符号化手段と、前記複数成分を輝度成分、色差成分の順に符号化データを配列して符号化データを生成する符号化データ生成手段を有し、生成された符号化データを、電話回線を通じて送信するファクシミリ装置において、
複数ページの画像データを送信する際に、輝度成分のサブバンドデータを全ページ分送信し、その後色差成分のサブバンドデータを全ページ分送信することを特徴とするファクシミリ装置。
【発明の詳細な説明】
【技術分野】
【０００１】
本発明は画像通信装置に関するものである。
【背景技術】
【０００２】
近年、画像記録手段や画像表示手段の高機能化に伴い、カラー複写機やカラープリンタなどの普及が進展しており、画像通信装置においてもカラーファクシミリなどが開発されてきている。
【０００３】
また、近年静止画像の圧縮方式として、離散ウェーブレット変換方式を用いた研究が盛んであり、ＪＰＥＧ２０００などとしてＩＴＵ勧告化が進められている（例えば、特許文献：特開２０００‐１５１４１１号公報）。
【発明の開示】
【発明が解決しようとする課題】
【０００４】
従来、ファクシミリなどの画像通信装置において、複数ページの文書を送信する際に、１ページ毎に画像データの送信を行なっているために、送信データを通信途中でエラー中断した場合には、受信済みのページは出力されるが、全てのページは受信していないので文書全体の把握ができないという欠点があった。また、各ページの画像データの情報量が必要以上に精細な場合には、その分の通信時間が必要になり、通信コストを引き上げる要因になっていた。
【課題を解決するための手段】
【０００５】
本発明によれば、カラー画像データを構成する複数の成分のそれぞれに離散ウェーブレット変換を施す離散ウェーブレット変換手段と、前記離散ウェーブレット変換手段によって生成されたサブバンドの係数をビットプレーンを単位に符号化する係数符号化手段を有し、
１ページの画像データをある程度判読可能な程度の情報量の符号データ（以降、第一符号データ部と呼ぶ）と、その情報に付加することでさらに詳細な画像データを再現できる詳細情報部（以降、第二符号データ部と呼ぶ）に分離することができるように、符号データを配列して符号化データを生成する符号化データ生成手段を有することによって、
複数ページの画像データを送信する際に、１ページごとに符号化データの全てを送信するのではなく、一旦、全てのページの前記第一符号データ部を送信し、その後に詳細な情報として前記第二符号データ部を送信することで、文書全体の前記第一符号データ部を通信の早い段階で送信することができるようになり、その時点以降で通信がエラー中断した場合でも、受信機では受信した情報から文書の全てのページの画像データをある程度判読可能な画像として再現、出力することができるようになり、文書全体の把握ができるようになる。
【０００６】
また、受信側で、前記第一符号データ部を受信したところで十分判読可能であると判断することで、以降に受信する前記第二符号データ部は不要であると判断した場合に通信を中断することによって、無駄に詳細データを受信することを防ぐことができるようになり、通信時間の短縮、通信コストの引き下げを実現できる。
【０００７】
前記説明において前記第一符号データ部と前記第二符号データ部の分離形式としては、
（１）離散ウェーブレット変換手段によって分離される、低周波サブバンド情報部と高周波サブバンド情報部の分離。
（２）係数符号化手段によって分離される、上位ビットプレーン情報部と下位ビットプレーン情報部による分離。
（３）カラー画像データを構成する輝度成分情報部と色差成分情報部の分離のいずれかの方法によって実現する。
【発明の効果】
【０００８】
以上説明したように、カラー画像データを構成する複数の成分のそれぞれに離散ウェーブレット変換を施す離散ウェーブレット変換手段と、前記離散ウェーブレット変換手段によって生成されたサブバンドの係数をビットプレーンを単位に符号化する係数符号化手段を有し、
１ページの画像データをある程度判読可能な程度の情報量の符号データ（第一符号データ部）と、その情報に付加することでさらに詳細な画像データを再現できる詳細情報部（第二符号データ部）に分離することができるように、符号データを配列して符号化データを生成する符号化データ生成手段を有することによって、
複数ページの画像データを送信する際に、１ページごとに符号化データの全てを送信するのではなく、一旦、全てのページの前記第一符号データ部を送信し、その後に詳細な情報として前記第二符号データ部を送信することで、文書全体の前記第一符号データ部を通信の早い段階で送信することができるようになり、その時点以降で通信がエラー中断した場合でも、受信機では受信した情報から文書の全てのページの画像データをある程度判読可能な画像として再現、出力することができるようになり、文書全体の把握ができるようになる。
【０００９】
また、受信側で、前記第一符号データ部を受信したところで十分判読可能であると判断することで、以降に受信する前記第二符号データ部は不要であると判断した場合に通信を中断することによって、無駄に詳細データを受信することを防ぐことができるようになり、通信時間の短縮、通信コストの引き下げを実現できる。
【発明を実施するための最良の形態】
【００１０】
以下図面を用いて本発明の一実施例を示す。
【００１１】
図１において、ＣＰＵ１−１は、本装置全体の制御を司るものであり、ＲＯＭ１−２は、ＣＰＵ１−１が各種制御を行うためのプログラムメモリとして使用される。また、ＲＡＭ１−３は、ＣＰＵ１−１のワークエリアや、一時的に画像データなどを蓄えるバッファ等として使用される。
【００１２】
コーデック部１−４は、画像データの符号化復号化を行なうブロックであり、詳細は後述する。
【００１３】
モデム部１−５は、ＩＴＵ−Ｔ勧告  Ｖ８／Ｖ３４／Ｖ１７／Ｖ２９／Ｖ２７ｔｅｒに準拠したものであり、送受信信号の変復調を行うものである。ＮＣＵ（Ｎｅｔｗｏｒｋ  Ｃｏｎｔｒｏｌ  Ｕｎｉｔ）１−６は、電話網との接続制御等を行うものであり、計時部１−７は、カレンダ機能を有する時計ＬＳＩ等より構成されたものである。
【００１４】
操作パネル１−８は、各種操作キーや表示部を有するものである。画像メモリ１−９は、半導体メモリで構成され、画像データを蓄積するよう制御されるものである。
【００１５】
カラースキャナ１−１０は、光学的に原稿を読み取り、ＲＧＢ成分に分解して各色画素を８ｂｉｔの多値データとして出力するものである。なお、本実施例では、読み取りデバイスとしてカラーコンタクトセンサを使用しており、また、読み取る原稿を自動的に搬送するＡＤＦ機構を備えている。
【００１６】
プリンタインタフェース部１−１１は、２値化処理部とインタフェース制御部を有し、プリンタ部１−１２とセントロニクス仕様による汎用インタフェースで接続制御を行うためのものであり、印字する画像データをプリンタに送信するように汎用インタフェースを制御するよう構成されている。また、プリンタの状態をインタフェース経由にて検知し、ＣＰＵ１−１に通知する機能を持っている。
【００１７】
プリンタ部１−１２は、インクジェット記録方式によりカラー記録可能となっており、装填できるインクカートリッジとして、白黒印字用／カラー記録用／高精細カラー記録用などがあり、装填されているカートリッジの種類はプリンタインタフェースによって認識できる。さらに、本通信装置は、汎用インタフェース１−１３、およびＣＰＵバス１−１４を有する。
【００１８】
図２は図１のコーデック部１−４における離散ウエーブレット符号化の構成図である。１は画像入力部、２は離散ウェーブレット変換部、３は量子化部、４はエントロピ符号化部、５は符号出力部である。
【００１９】
次に、本発明における送信処理の動作を説明する。
【００２０】
図８は送信処理のメインフロー図であり、送信操作が行なわれると実行される。
【００２１】
まず、Ｓ１００１において、スキャナ部１−１０にある原稿給紙部にセットした原稿をＡＤＦ機構に原稿を搬送しながら、画像データを読取る原稿読み取り処理をおこない、セットされた複数ページの原稿の読み取りを終了したら、Ｓ１００２において読み取った画像データを指定宛先へ送信する画像送信処理を実行し、送信処理を終了する。
【００２２】
図９の前記Ｓ１００１の原稿読み取り処理の詳細なフローチャートであり、原稿読み取り時の動作を説明する。
【００２３】
まずＳ１１０１においては、カラースキャナ部１−１０にある原稿給紙部にセットした原稿をＡＤＦ機構によって原稿を搬送しながら画像データを読み取り、読み取った画像データは、ＲＡＭ１−３に一時格納される。次にＳ１１０２において、画像入力部１はＲＡＭ１−３に格納されたＲＧＢ成分の画像データに対して、輝度成分Ｙと色差成分Ｃｂ、Ｃｒへの色変換を行い、ラスタ−スキャン順に離散ウェーブレット変換部２に入力する。その際、モノクロ多値画像として符号化する場合には輝度成分のみを、カラー画像として符号化する場合には輝度成分を符号化した後に、色差成分Ｃｂ、Ｃｒを順に符号化すればよい。
【００２４】
Ｓ１１０３において、離散ウェーブレット変換部２は、入力した画像信号に対して２次元の離散ウェーブレット変換処理を行い、変換係数を計算して出力するものである。図３（ａ）は離散ウェーブレット変換部２の基本構成を表したものであり、入力された画像信号はメモリ２０１に記憶され、処理部２０２により順次読み出されて変換処理が行われ、再びメモリ２０１に書きこまれており、本実施の形態においては、処理部２０２における処理の構成は同図（ｂ）に示すものとする。同図において、入力された画像信号は遅延素子およびダウンサンプラの組み合わせにより、偶数アドレスおよび奇数アドレスの信号に分離され、２つのフィルタｐおよびｕによりフィルタ処理が施される。同図ｓおよびｄは、各々１次元の画像信号に対して１レベルの分解を行った際のローパス係数およびハイパス係数を表しており、次式により計算されるものとする。
【００２５】
ｄ（ｎ）＝ｘ（２＊ｎ＋１）−ｆｌｏｏｒ（（ｘ（２＊ｎ）＋ｘ（２＊ｎ＋２））／２）  （式１）
ｓ（ｎ）＝ｘ（２＊ｎ）＋ｆｌｏｏｒ（（ｄ（ｎ−１）＋ｄ（ｎ））／４）  （式２）
ただし、ｘ（ｎ）は変換対象となる画像信号である。
【００２６】
以上の処理により、画像信号に対する１次元の離散ウェーブレット変換処理が行われる。２次元の離散ウェーブレット変換は、１次元の変換を画像の水平・垂直方向に対して順次行うものであり、その詳細は公知であるのでここでは説明を省略する。図３（ｃ）は２次元の変換処理により得られる２レベルの変換係数群の構成例であり、画像信号は異なる周波数帯域の係数列ＨＨ１、ＨＬ１、ＬＨ１、…、ＬＬに分解される。なお、以降の説明ではこれらの係数列をサブバンドと呼ぶ。各サブバンドの係数は後続の量子化部３に出力される。
【００２７】
Ｓ１１０４において、量子化部３は、入力した係数を所定の量子化ステップにより量子化し、その量子化値に対するインデックスを出力する。ここで、量子化は次式により行われる。
【００２８】
ｑ＝ｓｉｇｎ（ｃ）ｆｌｏｏｒ（ａｂｓ（ｃ）／Δ）  （式３）
ｓｉｇｎ（ｃ）＝１；ｃ＞＝０                      （式４）
ｓｉｇｎ（ｃ）＝−１；ｃ＜０                      （式５）
ここで、ｃは量子化対象となる係数である。また、本実施の形態においてはΔの値として１を含むものとする。この場合実際に量子化は行われず、量子化部３に入力された変換係数はそのまま後続のエントロピ符号化部４に出力される。
【００２９】
Ｓ１１０５において、エントロピ符号化部４は入力した量子化インデックスをビットプレーンに分解し、ビットプレーンを単位に２値算術符号化を行ってコードストリームを出力する。図４はエントロピ符号化部４の動作を説明する図であり、この例においては４ｘ４の大きさを持つサブバンド内の領域において非０の量子化インデックスが３個存在しており、それぞれ＋１３、−６、＋３の値を持っている。エントロピ符号化部４はこの領域を走査して最大値Ｍを求め、次式により最大の量子化インデックスを表現するために必要なビット数Ｓを計算する。
【００３０】
Ｓ＝ｃｅｉｌ（ｌｏｇ２（ａｂｓ（Ｍ）））        （式８）
ここでｃｅｉｌ（ｘ）はｘ以上の整数の中で最も小さい整数値を表す。図４においては、最大の係数値は１３であるのでＳは４であり、シーケンス中の１６個の量子化インデックスは同図（ｂ）に示すように４つのビットプレーンを単位として処理が行われる。最初にエントロピ符号化部４は最上位ビットプレーン（同図ＭＳＢで表す）の各ビットをエントロピ符号化（本実施の形態では２値算術符号化）し、ビットストリームとして出力する。次にビットプレーンを１レベル下げ、以下同様に対象ビットプレーンが最下位ビットプレーン（同図ＬＳＢで表す）に至るまで、ビットプレーン内の各ビットを符号化し符号出力部５に出力する。なお上記エントロピ符号化時において、各量子化インデックスの符号は、上位から下位へのビットプレーン走査において最初（最上位）に符号化されるべき非０ビットが検出されるとそのすぐ後に当該量子化インデックスの正負符号を示す１ビットを続けて２値算術符号化することとする。これにより、０以外の量子化インデックスの正負符号は効率良く符号化される。
【００３１】
Ｓ１１０６においては、エントロピー符号化部で生成されるコードストリームの配列処理を行ない、Ｓ１１０７において、配列化された符号データ列を画像メモリ１−９に格納する。その際の処理方式として、以下に示す３つの方式の実施例をしめす。
【実施例１】
【００３２】
＜解像度分割方式＞
図５は、このようにして生成され出力される符号列の構成を表した概略図の一例である。同図（ａ）は符号列の全体の構成を示したものであり、ＭＨはメインヘッダ、ＴＨはタイルヘッダ、ＢＳはビットストリームである。メインヘッダＭＨは同図（ｂ）に示すように、符号化対象となる画像のサイズ（水平および垂直方向の画素数）、画像を複数の矩形領域であるタイルに分割した際のサイズ、各色成分数を表すコンポーネント数、各成分の大きさ、ビット精度を表すコンポーネント情報から構成されている。なお、本実施の形態では画像はタイルに分割されていないので、タイルサイズと画像サイズは同じ値を取り、対象画像がモノクロの多値画像の場合コンポーネント数は１である。
【００３３】
次にタイルヘッダＴＨの構成を図５（ｃ）に示す。タイルヘッダＴＨには当該タイルのビットストリーム長とヘッダ長を含めたタイル長および当該タイルに対する符号化パラメータから構成される。符号化パラメータには離散ウェーブレット変換のレベル、フィルタの種別等が含まれている。本実施の形態におけるビットストリームの構成を同図（ｄ）に示す。同図において、ビットストリームは各サブバンド毎にまとめられ、解像度の小さいサブバンドを先頭として順次解像度が高くなる順番に配置されている。さらに、各サブバンド内は上位ビットプレーンから下位ビットプレーンに向かい、ビットプレーンを単位として符号が配列されている。
【００３４】
このようにして生成された符合列は、符号出力部５によって、画像メモリ１−９に蓄積する。この際に判読可能な程度の情報量の符号データ部（前記第一符号データ部）とそれに付加することで詳細な画像データを再現できる詳細情報部（前記第二符号データ部）とを区別できるように管理する。本実施例では図５（ｄ）のＨＨ２までの符号データを前記第一符号データ部とし、ＨＬ１からＨＨ１までの符号データを前記第二符号データ部として管理する。
【実施例２】
【００３５】
＜ＳＮＲ分割方式＞
図６は、このようにして生成され出力される符号列の構成を表した概略図のもう１つの例である。同図（ａ）は符号列の全体の構成を示したものであり、ＭＨはメインヘッダ、ＴＨはタイルヘッダ、ＢＳはビットストリームである。メインヘッダＭＨは同図（ｂ）に示すように、符号化対象となる画像のサイズ（水平および垂直方向の画素数）、画像を複数の矩形領域であるタイルに分割した際のサイズ、各色成分数を表すコンポーネント数、各成分の大きさ、ビット精度を表すコンポーネント情報から構成されている。なお、本実施の形態では画像はタイルに分割されていないので、タイルサイズと画像サイズは同じ値を取り、対象画像がモノクロの多値画像の場合コンポーネント数は１である。
【００３６】
次にタイルヘッダＴＨの構成を図６（ｃ）に示す。タイルヘッダＴＨには当該タイルのビットストリーム長とヘッダ長を含めたタイル長および当該タイルに対する符号化パラメータから構成される。符号化パラメータには離散ウェーブレット変換のレベル、フィルタの種別等が含まれている。本実施の形態におけるビットストリームの構成を同図（ｄ）に示す。同図において、ビットストリームはビットプレーンを単位としてまとめられ、上位ビットプレーンから下位ビットプレーンに向かう形で配置されている。各ビットプレーンには、各サブバンドにおける量子化インデックスの当該ビットプレーンを符号化した結果が順次サブバンド単位で配置されている。図においてＳは最大の量子化インデックスを表現するために必要なビット数である。このようにして生成された符号列は、符号出力部５によって、画像メモリ１−９に蓄積する。この際に判読可能な程度の情報量の符号データ部（前記第一符号データ部）とそれに付加することで詳細な画像データを再現できる詳細情報部（前記第二符号データ部）とを区別できるように管理する。本実施例では図６（ｄ）のビットプレーンＳ−１からビットプレーン１までの符号データを前記第一符号データ部とし、ビットプレーン０の符号データを前記第二符号データ部として管理する。
【実施例３】
【００３７】
＜コンポーネント分割方式＞
図７は、このようにして生成され出力される符号列の構成を表した概略図のもう１つの例である。同図（ａ）は符号列の全体の構成を示したものであり、ＭＨはメインヘッダ、ＴＨはタイルヘッダ、ＢＳはビットストリームである。メインヘッダＭＨは同図（ｂ）に示すように、符号化対象となる画像のサイズ（水平および垂直方向の画素数）、画像を複数の矩形領域であるタイルに分割した際のサイズ、各色成分数を表すコンポーネント数、各成分の大きさ、ビット精度を表すコンポーネント情報から構成されている。なお、本実施の形態では画像はタイルに分割されていないので、タイルサイズと画像サイズは同じ値を取り、対象画像がカラー画像の場合コンポーネント数は３である。
【００３８】
次にタイルヘッダＴＨの構成を図７（ｃ）に示す。タイルヘッダＴＨには当該タイルのビットストリーム長とヘッダ長を含めたタイル長および当該タイルに対する符号化パラメータから構成される。符号化パラメータには離散ウェーブレット変換のレベル、フィルタの種別等が含まれている。本実施の形態におけるビットストリームの構成を同図（ｄ）に示す。同図において、ビットストリームは色成分コンポーネントを単位としてまとめられ、輝度成分Ｙ、色差成分Ｃｂ、色差成分Ｃｒの順に配置されている。各コンポーネント内のビットストリームは、各サブバンド毎にまとめられ、解像度の小さいサブバンドを先頭として順次解像度が高くなる順番に配置されている。さらに、各サブバンド内は上位ビットプレーンから下位ビットプレーンに向かい、ビットプレーンを単位として符号が配列されている。
【００３９】
このようにして生成された符号列は、符号出力部５によって画像メモリ１−９に蓄積する。この際に判読可能な程度の情報量の符号データ部（前記第一符号データ部）とそれに付加することで詳細な画像データを再現できる詳細情報部（前記第二符号データ部）とを区別できるように管理する。本実施例では図７（ｄ）のコンポーネント１（輝度成分Ｙ）までの符号データを前記第一符号データ部とし、コンポーネント２、３（色差成分Ｃｂ、Ｃｒ）の符号データを前記第二符号データ部として管理する。
【００４０】
次にＳ１１０８においては、次に読み取る原稿がスキャナ部１−１０にある原稿給紙部にセットされているか否かを判断し、次ページがあれば、Ｓ１１０１から繰り返す。
【００４１】
なお、上述した実施の形態において、符号化対象となる画像全体の圧縮率は量子化ステップΔを変更することにより制御することが可能である。
【００４２】
また別の方法として本実施の形態では、エントロピ符号化部４において符号化するビットプレーンの下位ビットを必要な圧縮率に応じて制限（廃棄）することも可能である。この場合には、全てのビットプレーンは符号化されず上位ビットプレーンから所望の圧縮率に応じた数のビットプレーンまでが符号化され、最終的な符号列に含まれる。
【００４３】
図１０は前記Ｓ１００２の画像データ送信処理の詳細な動作を示すフローチャートである。
【００４４】
まず、Ｓ１２０１においては、読み取った画像データを指定宛先へ送信するために、ＮＣＵ１−６を制御して発呼処理をおこなう。指定宛先の相手機が応答したら、Ｓ１２０２において、相手機から送信されるＤＩＳ信号を受信し、相手機の受信能力の確認を行なう。そして、Ｓ１２０３においてＤＣＳ信号を送信することによって、送信方法を指示する。この際に本発明における画像送信手順を行なうことを相手機に通知する。そして、相手からのＣＦＲ信号を受信することで、相手機の受信準備が完了したことを認識する。
【００４５】
そして、Ｓ１２０４においては送信するページの画像データを画像メモリから取り出すためのパラメータＰを初期化し、Ｓ１２０５において、パラメータＰで指定されたページ番号の前記第一符号データ部を画像メモリから取り出し、相手機に対して送信する。
【００４６】
ここで前記第一符号データ部とは前述したように、
実施例１では離散ウェーブレット変換によって分割される低周波成分（低解像度）のサブバンドデータを意味し、
実施例２ではエントロピー符号化部でビットプレーンを単位として符号化する際に分割される上位ビットプレーンの符号データを意味し、
実施例３ではカラー画像を構成する複数の成分の内、輝度成分Ｙの符号データを意味する。
【００４７】
そして、パラメータＰが示すページの前記第一符号データ部の送信を行なった後、Ｓ１２０６において次ページの画像データが画像メモリにあるか否かを判断し、次ページがあればＳ１２０７においてＰＰＳ−ＭＰＳ信号を送信し、相手機からＭＣＦ信号を受信することで、相手機にパラメータＰが示すページの前記第一符号データ部の送信が完了する。そしてＳ１２０８においてパラメータＰをインクリメント（＋１）し、Ｓ１２０５から繰り返し、次ページの前記第一符号データ部を送信する。
【００４８】
Ｓ１２０６で次ページの画像データが無いと判断した場合には、Ｓ１２０９においてＰＰＳ−ＥＯＭ信号を送信することで、全てのページの前記第一符号データ部の送信が完了し、続けて前記第二符号データ部を送信することを通知し、ＭＣＦ信号を受信する。
【００４９】
Ｓ１２１０では、前記第二符号データ部を第１ページ目から送信するためにパラメータＰを初期化し、
Ｓ１２１１において、パラメータＰで指定されたページ番号の前記第二符号データ部を画像メモリから取り出し、相手機に対して送信する。
【００５０】
ここで前記第二符号データ部とは前述したように、
実施例１では離散ウェーブレット変換によって分割される高周波成分（高解像度）のサブバンドデータを意味し、
実施例２ではエントロピー符号化部でビットプレーンを単位として符号化する際に分割される下位ビットプレーンの符号データを意味し、
実施例３ではカラー画像を構成する複数の成分の内、色差成分ＣｂＣｒの符号データを意味する。
【００５１】
そして、パラメータＰが示すページの前記第二符号データ部の送信を行なった後、Ｓ１２１２において次ページの画像データが画像メモリにあるか否かを判断し、次ページがあればＳ１２１３においてＰＰＳ−ＭＰＳ信号を送信し、相手機からＭＣＦ信号を受信することで、相手機にパラメータＰが示すページの前記第二符号データ部を送信が完了する。そしてＳ１２１４においてパラメータＰをインクリメント（＋１）し、Ｓ１２１１から繰り返し、次ページの前記第二符号データ部を送信する。
【００５２】
Ｓ１２１２で次ページの画像データが無いと判断した場合には、Ｓ１２１５においてＰＰＳ−ＥＯＰ信号を送信し、全てのページの画像データを送信を行なわれた事を通知し、ＭＣＦ信号を受信する。そして、Ｓ１２１６においてＤＣＮ信号を送信し、通信終了を指示して回線を切断し、本画像送信処理フローを終了する。
【００５３】
図１１は、本発明における通信手順例をあらわす図面であり、本発明において２ページの画像を送信する際の通信手順を示す。基本的にＩＴＵ−Ｔ  Ｔ３０勧告に従ったフローである。フェーズＢにおいては、被呼側（受信側）はＤＩＳ信号によって、自端末の能力を宣言し、発呼側（送信側）は送信するモードなどの情報を、ＤＣＳ信号によって指示する。フェーズＣにおいては、本発明によって、第一ページから順に全てのページ（本図面では２ページ）の前記第一符号データ部を送信し、その後、第１ページから順に全てのページの第二符号データ部を送信している事が表されている。
【００５４】
図１２は本発明において、第一符号データ部のみを用いてを復号した場合に出力される画像（左側）と第一符号データ部と第二符号データ部の両方を用いて復号した場合に出力される画像の例（右側）を示している。図１２（ａ）は前記実施例１における例で図１２（ｂ）は前記実施例２における例である。
【００５５】
前記実施例３の場合、第一符号データ部のみを用いてを復号した場合に出力される画像はグレースケール画像となり、第一符号データ部と第二符号データ部の両方を用いて復号した場合に出力される画像はカラー画像となる。
【図面の簡単な説明】
【００５６】
【図１】本発明の実施例を示すブロック図
【図２】本発明の離散ウェーブレット符号化部の構成図
【図３】本発明の離散ウェーブレット変換部の説明図
【図４】本発明のエントロピー符号化部の説明図
【図５】本発明の実施例１の符号データ列の構成を示した概略図
【図６】本発明の実施例２の符号データ列の構成を示した概略図
【図７】本発明の実施例３の符号データ列の構成を示した概略図
【図８】本発明の実施例の送信処理の動作を示すメインフローチャート
【図９】本発明の実施例の原稿読み取り処理の動作を示すフローチャート
【図１０】本発明の実施例の画像データ送信処理の動作を示すフローチャート
【図１１】本発明の実施例における通信手順例の説明図
【図１２】本発明において受信された場合に出力される画像例を示す図
【符号の説明】
【００５７】
１−１  ＣＰＵ
１−２  ＲＯＭ
１−３  ＲＡＭ
１−４  ＣＯＤＥＣ部
１−５  モデム
１−６  ＮＣＵ
１−７  計時回路
１−８  操作パネル
１−９  画像メモリ
１−１０  スキャナ
１−１１  プリンタインタフェース
１−１２  プリンタ
【図１】
2005210253.tif 000003
【図２】
2005210253.tif 000004
【図３】
2005210253.tif 000005
【図４】
2005210253.tif 000006
【図５】
2005210253.tif 000007
【図６】
2005210253.tif 000008
【図７】
2005210253.tif 000009
【図８】
2005210253.tif 000010
【図９】
2005210253.tif 000011
【図１０】
2005210253.tif 000012
【図１１】
2005210253.tif 000013
【図１２】
2005210253.tif 000014